(57)【要約】      （修正有）【課題】医療の負担を低減できる褥瘡スマート感知マットレスを提供する。【解決手段】褥瘡スマート感知マットレスはマットレス本体１０、少なくとも１個の感知モジュール２０、コントロールモジュール３０、警報モジュール、表示モジュール、電源モジュール、伝送モジュール、クラウドデータベースを有する。マットレス本体は上下層に包まれた収容設置空間を有し、感知モジュールは人体がその上に作用する圧力、温度、湿度等を電気信号に転換する。コントロールモジュールはマットレス本体内に設置し、感知モジュールからの電気信号を処理し、コントロール信号及び数値データ信号を発する。警報モジュールはコントロール信号を受け取り、警告信号を発する。表示モジュールは数値データ信号を表示する。伝送モジュールは、数値データ信号を、無線ネットワークを使用してクラウドデータベースに伝送し、クラウドデータベースは数値データ信号を保存し、モバイルデバイスに伝送する。【選択図】図１
0003208593.tif 000002
【実用新案登録請求の範囲】
【請求項１】
褥瘡スマート感知マットレスであって、マットレス本体、少なくとも１個の感知モジュール、コントロールモジュール、警報モジュール、表示モジュール、電源モジュール、伝送モジュール、クラウドデータベースを有し、
前記少なくとも１個の感知モジュールは、人体がその上に作用する圧力、温度及び湿度等物理エネルギーを電気信号に転換し、
該コントロールモジュールは、該マットレス本体内に設置し、少なくとも１個の感知モジュールに接続し、受け取った電気信号を処理し、コントロール信号及び数値データ信号を発し、
該警報モジュールは、該コントロールモジュールに接続し、コントロール信号を受け取り、警告信号を発し、
前記表示モジュールは、該コントロールモジュールに接続し、数値データ信号を受け取り、該数値データ信号を表示し、
前記電源モジュールは、該コントロールモジュールに電気的に連接し、電力を提供し、
前記伝送モジュールは、該コントロールモジュールに接続し、数値データ信号を、無線ネットワークを使用して、クラウドデータベースに伝送し、
該クラウドデータベースは、数値データ信号を保存し、無線ネットワークを通して、モバイルデバイスに伝送することを特徴とする褥瘡スマート感知マットレス。
【請求項２】
前記感知モジュールは、圧力センサー、温度センサー、湿度センサーを有し、
該圧力センサーは、その上に作用する圧力を感知し、圧力数値の電気信号を発し、
該温度センサーは、その上に作用する温度を感知し、温度数値の電気信号を発し、
該湿度センサーは、その上に作用する湿度を感知し、湿度数値の電気信号を発することを特徴とする請求項１に記載の褥瘡スマート感知マットレス。
【請求項３】
前記警報モジュールは、バイブレーター、スピーカー、ＬＥＤを有し、
該バイブレーターは、震動の警告信号を発し、
該スピーカーは、音声の警告信号を発し、
該ＬＥＤは、灯光の警告信号を発することを特徴とする請求項１に記載の褥瘡スマート感知マットレス。
【請求項４】
前記コントロールモジュールには、コンテキストモード、手動設定モード、自動モードをさらに設置することを特徴とする請求項１に記載の褥瘡スマート感知マットレス。
【請求項５】
前記伝送モジュールは、ブルートゥース送信機、Ｗｉｆｉ送信機、Ｚｉｇｂｅｅ送信機で、数値データ信号を、無線ネットワークを使用して、クラウドデータベースに伝送することを特徴とする請求項１に記載の褥瘡スマート感知マットレス。
【考案の詳細な説明】
【技術分野】
【０００１】
本考案はマットレスに関し、特に寝たきり患者の受圧部位の温度、湿度、圧力、受圧時間を効果的に掌握可能で、これにより褥瘡を効果的に予防できる褥瘡スマート感知マットレスに関する。
【背景技術】
【０００２】
患者の生活においては、ベッドに横たわり休養する時間が一日の大部分を占める。
皮膚がベッド上で長時間圧力を受けていると、褥瘡現象が起きやすい。
現在は医療スタッフが褥瘡予防ガイドに従い、患者の状況に応じて、２時間を基準に体位変換計画を作成し、定期的に患者の体位を変換している。
その過程で、患者の皮膚の状態をチェックし、褥瘡が発見されたなら、体位変換計画を調整し、体位変換間隔を短縮する必要がある。
しかし、患者にすでに褥瘡が生じているなら、医療資源を投じて褥瘡を治療しなければならない。
医療スタッフが、患者の体位変換と皮膚状況のチェックを行う際には、摩擦力とせん断力が加わることで、患者は褥瘡を患うリスクにさらされてしまう。
【０００３】
既存の褥瘡予防製品には、気圧マットレス、スポンジマットレス、ラテックスマットレスがあり、どれも圧力を逃す能力を強調している。
しかし、医療スタッフは、患者が上述のマットレス上に横たわった時の接触面圧力、温度、湿度の変換状況を知ることはできず、定期的に患者の体位を変換し、手と目を用いて触覚と視覚により、経験に基づき判断することしかできず、患者に褥瘡が発生したなら調整を行うこととなる。
【０００４】
特許文献１に開示する「褥瘡防止警報器」は、押圧型感知スイッチを固定し、連続５０分の時間により、検査スイッチが作動し、寝たきり者が身体を動かしたかどうかを判断するものである。
けれども、これでは医療スタッフはやはり、５０分毎にベッドを見回って患者の体位変換を行わなければならない。
数値データに基づき、体位変換の間隔を調整することはできず、看護効率向上の目的を達成することはできない。
【先行技術文献】
【特許文献】
【０００５】
【特許文献１】台湾特許第Ｍ４０１８２２号明細書
【考案の概要】
【考案が解決しようとする課題】
【０００６】
前記先行技術によっても、数値データに基づき体位変換の間隔を調整することはできず、看護効率向上の目的を達成することはできないという欠点がある。
【課題を解決するための手段】
【０００７】
本考案は感知モジュール、伝送モジュール、クラウドデータベース等構造を通して、医療スタッフは遠隔で同時に多数の患者とマットレス本体受圧部位の温度、湿度、圧力、受圧時間をモニタリングでき、警報値に達すると、自動的に警報を発して医療スタッフに通知し、褥瘡予防効果及び看護効率向上の目的を即時に達成可能な褥瘡スマート感知マットレスに関する。
【０００８】
本考案による褥瘡スマート感知マットレスは、マットレス本体、少なくとも１個の感知モジュール、コントロールモジュール、警報モジュール、表示モジュール、電源モジュール、伝送モジュール、クラウドデータベースを有する。
該少なくとも１個の感知モジュールは、人体がその上に作用する圧力、温度及び湿度等物理エネルギーを電気信号に転換する。
該コントロールモジュールは、該マットレス本体内に設置し、少なくとも１個の感知モジュールに接続し、受け取った電気信号を処理し、コントロール信号及び数値データ信号を発する。
該警報モジュールは、該コントロールモジュールに接続し、コントロール信号を受け取り、警告信号を発する。
該表示モジュールは、該コントロールモジュールに接続し、数値データ信号を受け取り、該数値データ信号を表示する。
該電源モジュールは、該コントロールモジュールに電気的に連接し、電力を提供する。
該伝送モジュールは、該コントロールモジュールに接続し、数値データ信号を、無線ネットワークを使用して、クラウドデータベースに伝送する。
該クラウドデータベースは、数値データ信号を保存し、無線ネットワークを通して、モバイルデバイスに伝送する。
【０００９】
本考案は、伝送モジュール、クラウドデータベース等構造を通して、医療スタッフは遠隔で同時に多数の患者とマットレス本体受圧部位の温度、湿度、圧力、受圧時間をモニタリングでき、警報値に達すると、自動的に警報を発して医療スタッフに通知し、褥瘡予防効果及び看護効率向上の目的を即時に達成可能である。
【図面の簡単な説明】
【００１０】
【図１】本考案による褥瘡スマート感知マットレスの構造模式図である。
【図２】本考案による褥瘡スマート感知マットレスの装置連結樹状図である。
【図３】本考案による褥瘡スマート感知マットレスのシステム連結模式図である。
【図４】本考案による褥瘡スマート感知マットレスのコントロールモジュール設定の実施形態図である。
【図５】本考案による褥瘡スマート感知マットレスのコントロールモジュール設定の実施形態図である。
【考案を実施するための形態】
【００１１】
（一実施形態）
図１と図２に示す通り、本考案による褥瘡スマート感知マットレスは、マットレス本体１０、感知モジュール２０、コントロールモジュール３０、警報モジュール４０、表示モジュール５０、電源モジュール６０、伝送モジュール７０、クラウドデータベース８０を有する。
【００１２】
少なくとも１個の感知モジュール２０は、人体がその上に作用する圧力、温度及び湿度等物理エネルギー電気信号に転換する。
感知モジュール２０は、圧力センサー、温度センサー、湿度センサーを有する。
圧力センサーは、その上に作用する圧力を感知し、圧力数値の電気信号を発する。
該温度センサーは、その上に作用する温度を感知し、温度数値の電気信号を発する。
該湿度センサーは、その上に作用する湿度を感知し、湿度数値の電気信号を発する。
【００１３】
コントロールモジュール３０は、マットレス本体１０内に設置され、少なくとも１個の感知モジュール２０に接続し、受け取った電気信号を処理し、コントロール信号及び数値データ信号を発する。
コントロールモジュール３０は、コンテキストモード、手動設定モード、自動モードをさらに有する。
コンテキストモードには、患者状態、マットレス種類、寝ている角度、寝ている姿勢等モードを設置する。
手動設定モードには、温度限界、圧力限界、湿度限界、時間限界等設定を設置する。
【００１４】
警報モジュール４０は、コントロールモジュール３０に接続し、コントロール信号を受け取り、警告信号を発する。
警報モジュール４０は、バイブレーター、スピーカー、ＬＥＤを有する。
バイブレーターは、震動の警告信号を発し、スピーカーは、音声の警告信号を発し、ＬＥＤは、灯光の警告信号を発する。
【００１５】
表示モジュール５０は、コントロールモジュール３０に接続し、数値データ信号を受け取り、数値データ信号を表示する。
【００１６】
電源モジュール６０は、コントロールモジュール３０に電気的に連接し、電力を提供する。
【００１７】
伝送モジュール７０は、コントロールモジュール３０に接続し、数値データ信号を無線ネットワークを使用して、クラウドデータベース８０に伝送する。
伝送モジュール７０は、ブルートゥース（登録商標）送信機、Ｗｉｆｉ送信機、Ｚｉｇｂｅｅ送信機で、数値データ信号を、無線ネットワークを使用して、クラウドデータベース８０に伝送する。
【００１８】
クラウドデータベース８０は、数値データ信号を保存し、無線ネットワークを通して、モバイルデバイス９０に伝送する。
【００１９】
図２に示す通り、本考案による褥瘡スマート感知マットレスは、マットレス本体１０内に、コントロールモジュール３０を設置する。
コントロールモジュール３０は、少なくとも１個の感知モジュール２０に接続する。
本考案は、人体がマットレス本体１０において仰臥、側臥する重心位置に基づき、感知モジュール２０をそこに設置し、より良い感知効果を達成する。
感知モジュール２０は、圧力センサー、温度センサー、湿度センサーを有し、圧力、受圧時間、温度及び湿度等数値データ信号をそれぞれ感知し、それを物理エネルギー電気信号に転換する。
コントロールモジュール３０は、受け取った電気信号を処理し、こうしてコントロール信号及び数値データ信号をそれぞれ発する。
【００２０】
図３〜図５に示す通り、コントロールモジュール３０は、コンテキストモード、手動設定モード、自動モードをさらに有する。
コンテキストモードにより、医療スタッフは、患者の状態（身長、体重、年齢など）、マットレスの種類（一般的なスポンジマットレス、ハイグレードスポンジマットレス、主動式気圧マットレス、一般的な気圧マットレス、ラテックスマットレスなど）、寝ている角度（仰臥、伏臥、左３０度、６０度、９０度の側臥、右３０度、６０度、９０度の側臥など）或いは寝ている姿勢（背面部角度アップと足部角度アップ）に基づき、適用するコンテキストパラメーターを選択して設定し、或いは手動設定により温度限界、湿度限界、圧力限界及び時間限界を設定する。
【００２１】
本考案の実施形態では、温度限界を摂氏２５度に設定し、湿度限界をＲＨ７０％に設定し、圧力限界を３２ｍｍＨｇに設定し、時間限界を２時間に設定する。
温度がＲＨ７０％以上、圧力が３２ｍｍＨｇ以上、時間が２時間以上なら、コントロールモジュール３０はコントロール信号を警報モジュール４０に送信し、しかも警告信号を発して医療スタッフに患者の体位を変換する必要があると提示する。
また、マットレス本体１０の材質により、患者の身体が底部のベッド板に直接接触するようなら、警告信号を発し、医療スタッフにマットレス本体１０を交換するよう提示する。
【００２２】
本考案のコントロールモジュール３０は、身長、体重、年齢など一人一人の患者の状態に応じて、そのコントロールモジュール３０の基礎圧力値を変更する。
例えば、患者の身長に基づき、感知モジュール２０は代表部位を推算し、或いは体重により生まれる組織の厚みに応じて、基礎圧力値の設定を上昇或いは低下させる。
さらに、年齢による皮膚の弾力性の程度に応じて、基礎圧力値設定を上昇或いは低下させる。
【００２３】
本考案のコントロールモジュール３０は、マットレスの種類による圧力を逃す効果の違いに応じて、コントロールモジュール３０の基礎時間を変更することができる。
圧力が基礎圧力より小さいなら、基礎時間の増加を設定し、圧力が基礎圧力より大きいなら、基礎時間の短縮を設定する。
【００２４】
本考案のコントロールモジュール３０は、患者の背面部が３０度以上であるなど患者の寝ている角度に応じて、基礎時間の短縮を設定することができる。
上記したモード設定により、本考案は警告信号を発するタイミングをより正確に判断することができる。
関連する数値データ信号は、表示モジュール５０を通して、医療スタッフに提供され、モニタリングに用いられる。
【００２５】
伝送モジュール７０は、ブルートゥース（登録商標）送信機、Ｗｉｆｉ送信機、Ｚｉｇｂｅｅ送信機で、数値データ信号を、無線ネットワークを使用して、クラウドデータベース８０に伝送する。
クラウドデータベース８０は、患者の数値データ信号を保存し、無線ネットワークを通して、モバイルデバイス９０に伝送する。
モバイルデバイス９０は、携帯電話端末、タブレット型コンピューターである。
【００２６】
上述の構造により、医療スタッフは本考案を通して、患者の受圧部位の温度、湿度、圧力、受圧時間を知ることができ、適時に患者の体位を変換し、褥瘡予防の目的を達成できる。
【００２７】
前述した本考案の実施形態は本考案を限定するものではなく、よって、本考案により保護される範囲は後述される実用新案登録請求の範囲を基準とする。
【符号の説明】
【００２８】
１０  マットレス本体、
２０  感知モジュール、
３０  コントロールモジュール、
４０  警報モジュール、
５０  表示モジュール、
６０  電源モジュール、
７０  伝送モジュール、
８０  クラウドデータベース、
９０  モバイルデバイス。
【図１】
0003208593.tif 000003
【図２】
0003208593.tif 000004
【図３】
0003208593.tif 000005
【図４】
0003208593.tif 000006
【図５】
0003208593.tif 000007